(57)【特許請求の範囲】
【請求項１】
１対からなる眼鏡のテンプルであって、
それぞれがテンプル本体およびテンプルエンドの組合せからなり、
前記テンプルエンドは、
前記テンプル本体における着用者の耳に保持される部分の一部または全部を覆いかつ２つの前記テンプル本体のいずれにも着脱可能に形成され、
少なくとも一方の前記テンプルエンドは、
前記テンプル本体における前記着用者の耳に保持される部分から前記眼鏡が着用されたときの下方端までの距離が組み合わされた前記テンプル本体における前記部分から上方端までの距離よりも大きい
ことを特徴とする眼鏡のテンプル。
【請求項２】
２つの前記テンプルエンドは、
前記眼鏡が着用されたときに、一方が組み合わされた前記テンプル本体における前記着用者の耳に保持される部分から前記着用者までの水平距離が、他方が組み合わされた前記テンプル本体における前記着用者の耳に保持される部分から前記着用者までの水平距離よりも大きくなるように形成された
請求項１に記載の眼鏡のテンプル。
【請求項３】
請求項１または請求項２に記載されたテンプルを有する
眼鏡。
【請求項４】
フレームと、
１対のレンズと、
前記フレームに着脱可能な１対のノーズパッドと、を備え、
前記１対のノーズパッドは、
前記フレームに取り付けられたときに、一方の前記ノーズパッドにおける着用者の鼻に当たる面が他方の前記ノーズパッドにおける着用者の鼻に当たる面に比べて前記１対のレンズの間隔中央から水平に離れた位置となるように構成された
請求項３に記載の眼鏡。
【発明の詳細な説明】
【技術分野】
【０００１】
本発明は、サングラス、粉塵、薬品等から目を保護する保護眼鏡、および視力矯正用眼鏡等のテンプルおよび眼鏡に関する。
【背景技術】
【０００２】
マラソン、ジョギング、球技等の屋外で行われる競技またはレクリエーションに、スポーツ用サングラスが使用される場合が多い。また、環境保護の高まりおよびメタボ対策等の健康管理の面から、近年自転車が見直されており、サイクリングにサングラスを着用することが一般化している。
ところで、人の顔は正面から見たときに面対称ではなく、例えば左右の耳の高さが異なる場合があり、鼻の位置が左右の中央から一方の側に偏っている場合がある。また、鼻の高さおよび頬（骨）の高さも各人で異なっている。
【０００３】
しかしながら、スポーツ用サングラスは、個性的（装飾的）なデザインのものが好まれ、また軽量化が求められるために、テンプルが塑性変形し難いものが多い。そのため、スポーツ用サングラスは、着用者の顔に合わせるために視力矯正用眼鏡で行われることがある、曲げおよびねじり等によるテンプルの調整には不向きである。
このような、スポーツ用サングラスにおける、例えば顔面に対するレンズの傾斜角度を適宜変更するための技術は、特許文献１に開示されている。
【先行技術文献】
【特許文献】
【０００４】
【特許文献１】特開２００９−１１６０２６号公報
【発明の概要】
【発明が解決しようとする課題】
【０００５】
特許文献１に開示された技術は、揺動軸を解してテンプルをレンズフレームに揺動可能に一体化するものである。特許文献１に開示された技術は、テンプルをレンズフレームに対して揺動させることにより、例えば自転車競技において空気抵抗を減少させる等の、サングラスの使用状況に適した傾斜角度をレンズに与えることができる。
しかし、これらに開示された技術は、テンプルをレンズフレームに対して揺動させ、かつ適度な傾斜角度を維持させるための機構によって、テンプルとレンズフレームとの連結部分の構造が複雑になる。また、これらに開示された技術は、複雑化に伴う連結部分の重
量の増加により、眼鏡の着用感が損なわれるおそれがある。
【０００６】
本発明は、上述の問題に鑑みてなされたもので、簡単な構造でかつ着用者の一人一人の顔に合わせることができる眼鏡のテンプルおよび眼鏡を提供することを目的とする。
【課題を解決するための手段】
【０００７】
本発明に係るテンプルは、眼鏡の１対からなるテンプルであって、それぞれがテンプル本体およびテンプルエンドの組合せからなり、前記テンプルエンドは、前記テンプル本体における着用者の耳に保持される部分の一部または全部を覆いかつ２つの前記テンプル本体のいずれにも着脱可能に形成され、少なくとも一方の前記テンプルエンドは、前記テンプル本体における前記着用者の耳に保持される部分から前記眼鏡が着用されたときの下方端までの距離が組み合わされた前記テンプル本体における前記部分から上方端までの距離よりも大きい。
【０００８】
２つの前記テンプルエンドは、前記眼鏡が着用されたときに、一方が組み合わされた前記テンプル本体における前記着用者の耳に保持される部分から前記着用者までの水平距離が、他方が組み合わされた前記テンプル本体における前記着用者の耳に保持される部分から前記着用者までの水平距離よりも大きくなるように形成される。
本発明に係る眼鏡は、前記テンプルを有する。
【０００９】
本発明に係る他の眼鏡は、フレームと、１対のレンズと、前記フレームに着脱可能な１対のノーズパッドと、を備え、前記１対のノーズパッドは、前記フレームに取り付けられたときに、一方の前記ノーズパッドにおける着用者の鼻に当たる面が他方の前記ノーズパッドにおける着用者の鼻に当たる面に比べて前記１対のレンズの間隔中央から水平に離れた位置となるように構成される。
【発明の効果】
【００１０】
本発明によると、簡単な構造でかつ着用者の一人一人の顔に合わせることができる眼鏡のテンプルおよび眼鏡を提供することができる。
【図面の簡単な説明】
【００１１】
【図１】図１はスポーツ用サングラスの斜視図である。
【図２】図２はテンプルの正面図である。
【図３】図３はテンプルエンドの斜視図である。
【図４】図４はテンプルの断面図である。
【図５】図５はノーズパッドおよびノーズパッド取付部の概略を示す図である。
【図６】図６はＡ型テンプルエンドおよびＢ型テンプルエンドの使い分けを説明する図である。
【図７】図７は左右で耳の高さが異なる者がサングラスを着用したときの正面図である。
【図８】図８は顔幅矯正用のテンプルエンドが使用されたテンプルの正面図である。
【図９】図９は図８におけるＥ−Ｅ矢視断面図である。
【図１０】図１０は左右で厚さが異なるノーズパッドが取り付けられたサングラスの部分図である。
【図１１】図１１は厚さが異なるテンプルエンドが使用されたサングラスを下方から見た図である。
【図１２】図１２は左右で顔幅が異なる者がサングラスを着用したときの正面図である。
【発明を実施するための形態】
【００１２】
図１はスポーツ用サングラス１（以下「サングラス１」という）の斜視図、図２はテンプル２の正面図、図３はテンプルエンド３の斜視図、図４はテンプル２の断面図、図５はノーズパッド７，７およびノーズパッド取付部１２の概略を示す図である。
図２における（ａ）はテンプル本体４にＡ型テンプルエンド３ａを組み合わせたテンプル２、（ｂ）はテンプル本体４にＢ型テンプルエンド３ｂを組み合わせたテンプル２である。また、図２のおけるテンプル２は、図１において矢印Ａで示す側から見た図である。
【００１３】
図３に示されるテンプルエンド３はＡ型テンプルエンド３ａである。図４における（ａ）は図２（ａ）におけるＢ−Ｂ矢視断面を、（ｂ）は図２（ａ）におけるＣ−Ｃ矢視断面を示す。なお、テンプルエンド３におけるＡ型およびＢ型が表す意味については後に説明する。
サングラスは、レンズ５，５、フレーム６、テンプル２およびノーズパッド７，７からなる。
【００１４】
レンズ５，５は、公知のサングラス用レンズであり、偏光レンズ、調光レンズ等が使用される。
フレーム６は、基部１１およびノーズパッド取付部１２からなる。フレーム６は、レンズ５，５を保持するためのものである。
基部１１は、全長に渡り湾曲して細長く延び、その中央部分において、細長く延びた方向に交差して鋭角を形成し二股に分かれて延びるノーズパッド取付部１２に連続する。基部１１の細長く延びた両端近傍は、ノーズパッド取付部１２が延びた方向と同じ方向に幅が広くなっている。
【００１５】
ノーズパッド取付部１２は、図５を参照して、全体として湾曲する基部１１が凹状となった側に掛止部１３を備える。
掛止部１３は、掛止片１４と接続部１５からなる。掛止片１４は、ノーズパッド取付部１２の本体１６から離れて本体１６が延びる方向に延びており、接続部１５は、掛止片１４をその長手方向（本体１６が延びる方向である）の中央部分で本体１６と一体化させている。したがって、ノーズパッド取付部１２には、基部１１側および二股に分かれて延びる先端側において、本体１６と掛止片１４との間に隙間１７，１７が形成されている。また、掛止部１３は、図５において左側から見たとき、「Ｔ」字状である。
【００１６】
フレーム６は、基部１１が延びる方向に直交する面に対してその形状が面対称であり、それぞれの側で、ノーズパッド取付部１２および基部１１が形成する端縁の形状が、保持されるレンズ５の端縁の一部の形状に一致している。フレーム６は、ノーズパッド取付部１２および基部１１（の延びた端近傍における幅広部分）がレンズ５を挟み込むようにして保持する。フレーム６の両端には、それぞれテンプル２，２が回動可能に支持されている。
【００１７】
テンプル２は、テンプル本体４およびテンプルエンド３からなる。
テンプル本体４は、正面視（図２）において一方の端から他方の端に向けて徐々に幅が狭くなった板状である。テンプル本体４は、その長手方向の中央部分にその厚さ方向に貫通し断面形状が長手方向に長いテンプルエンド取付孔２１を有する。テンプルエンド取付孔２１の内面は、凸状の湾曲面となっている。
【００１８】
テンプル本体４における長手方向に沿う両端面２２，２２は、外方に凸となる湾曲面である。テンプル本体４は、その外側の面（着用時外方となる面＝顔に接しない側の面、以下「外面２３」という）が、両端面２２，２２から幅方向内方に向けていずれもテンプル本体４の厚みが増すようにかつ長手方向で一様に幅方向に傾斜している。この幅方向両側の傾斜する面を「傾斜面２４」という。傾斜面２４は、テンプルエンド取付孔２１の直前で厚みの増加を止める。外面２３における幅方向両側の傾斜面２４，２４の内方端縁間は、長手方向に母線を有する凹状の湾曲面２５となっている。
【００１９】
テンプル本体４における外面２３とは逆側の両端面２２，２２を繋ぐ面は、凹凸のない面である。この外面２３とは逆側の両端面２２，２２を繋ぐ面を「内面２６」という。
テンプル本体４は、外面２３の側が凸となるように長手方向全長で僅かに湾曲する。テンプル本体４は、長手方向における幅が広い側の端がフレーム６の端に回動可能に一体化される。
【００２０】
テンプルエンド３は、テンプル本体４におけるフレーム６に一体化された端とは反対側の端からテンプルエンド取付孔２１を超えるまでの内面２６および両端面２２，２２を覆う部材である。テンプルエンド３は、内面２６を覆う底部３１、それぞれが異なる一方の端面２２を覆う上方端部３２および下方端部３３、ならびに底部３１の内面から突出する突部３４の各部分からなる。
【００２１】
底部３１は、被覆する内面２６の大きさおよび形状に略等しい大きさおよび形状の板状であり、長手方向の一端から他端に向けて徐々に幅が狭くなっている。
上方端部３２は、底部３１における幅方向の一方の端の長手方向全長に連続し板状の底部３１の一方の面側に突出する。上方端部３２は、底部３１の一方の面側にのみその厚みが増す底部３１の拡張部分ともいえる。上方端部３２における底部３１側を向く側面３５は、テンプル本体４の湾曲する端面２２とちょうど凹凸関係（湾曲する面の形状が略等しい）となる凹状の湾曲面である。
【００２２】
下方端部３３は、底部３１における幅方向の他方の端の長手方向全長に連続し、底部３１における上方端部３２が突出する面側と同じ側に突出する。上方端部３２と同様に、下方端部３３における底部３１側を向く側面３６も、端面２２と凹凸関係となる凹状の湾曲面である。
ここで、上方端部３２および下方端部３３における「上方」および「下方」は、サングラス１が着用されたときに、着用者Ｍの左耳ＥＬのテンプル２におけるテンプルエンドの上方および下方を基準とする。図４（および図２（ａ））に示されるテンプルエンド３は、上方端部３２の幅方向外方に張り出す程度が、下方端部３３における幅方向外方に張り出す程度よりも大きい。このようなテンプルエンド３をＡ型テンプルエンド３ａというものとする。この逆に、（図２（ｂ）に示される）上方端部３２の幅方向外方に張り出す程度が下方端部３３における幅方向外方に張り出す程度よりも小さいテンプルエンド３を、Ｂ型テンプルエンド３ｂというものとする。なお、Ａ型テンプルエンド３ａを右耳用のテンプル本体４に取り付けた場合には、上方端部３２が下側となって下側の方が上側に比べて幅方向外方への張り出しが大きなテンプル２となる。同様に、Ｂ型テンプルエンド３ｂを右耳用のテンプル本体４に取り付けた場合、上側の方が下側に比べて幅方向外方への張り出しが大きなテンプル２となる。
【００２３】
突部３４は、底部３１から上方端部３２および下方端部３３が突出する側と同じ側に、最も幅が大きな一方の端近傍から他方の端に向けて所定の長さ突出する部分である。突部３４は、底部３１に直接に連続する柱部４１および柱部４１に突出側で連続する頭部４２からなる。
柱部４１は、その断面形状がテンプルエンド取付孔２１の断面形状に略等しい。前記した「所定の長さ」とは、テンプルエンド取付孔２１の長手方向長さである。柱部４１の側面は、テンプルエンド取付孔２１の凸状に湾曲する内面と凹凸関係を有する凹状の湾曲面である。
【００２４】
頭部４２は、正面視（図２参照）においてその周り全体がテンプルエンド取付孔２１よりも外方に張り出している。頭部４２は、段を形成しないで滑らかに柱部４１に連続している。
テンプルエンド３には、幅が狭い長手方向の他端において上方端部３２と下方端部３３とがつながり、袋状部４４が形成されている。
【００２５】
テンプルエンド３は、底部３１、上方端部３２および下方端部３３に囲まれて形成される凹みにテンプル本体４の先端側略半分が嵌め入れられ、突部３４の頭部４２をテンプルエンド取付孔２１に貫通させることにより、テンプル本体４に取り付けられる。テンプル本体４の先端は、テンプルエンド３の袋状部４４に収納される。
テンプルエンド３は、合成ゴムまたはシリコン樹脂等の容易に弾性変形する材料で製作される。
【００２６】
ノーズパッド７は、着用されたサングラス１を着用者の鼻で支えるための部分である。ノーズパッド７は、所定の厚さを有し、その形状は、ノーズパッド取付部１２に接する面（以下「取付面４６」という）を除き、表面全体が曲面で形成される。
ノーズパッド７は、内側にノーズパッド取付部１２の掛止部１３を収容可能な、Ｔ字状の空隙が設けられている。空隙は取付面４６に開口し、開口部分４７を含む空隙の形状は、掛止部１３の形状に略等しい。ノーズパッド７は、合成ゴムまたはシリコン樹脂等の容易に弾性変形する材料で製作されており、掛止部１３がその空隙に嵌め入れられることにより、ノーズパッド取付部１２に取り付けられる。このとき、取付面４６がノーズパッド
取付部１２の本体１６における端面に当接する。
【００２７】
図６はＡ型テンプルエンド３ａおよびＢ型テンプルエンド３ｂの使い分けを説明する図である。
上述したように、左耳ＥＬ側のテンプル本体４にＡ型テンプルエンド３ａおよび右耳側のテンプル本体４にＢ型テンプルエンド３ｂを取り付けた左右のテンプル２，２は、左耳ＥＬ側のテンプル本体４にＢ型テンプルエンド３ｂおよび右耳側のテンプル本体４にＡ型テンプルエンド３ａを取り付けた左右のテンプル２，２に比べて、それぞれの下方端部３３，３３の幅方向外方（つまり下方）への張り出しの程度が小さい。したがって、それぞれのサングラス１を着用した場合、着用者の耳ＥＬに支持される部分における下方端部３３（図４参照）の下方側面３７からテンプル本体４の端面２２（図４参照）までの距離が異なる。そのため、下方への張り出しの小さなテンプル２（２ａ）と大きなテンプル２（２ｂ）とでは着用時のテンプル本体４の水平面に対する傾斜角度が異なり、着用者Ｍの顔面に対するレンズ５の傾斜角度も異なる。
【００２８】
サングラス１では、例えば自転車競技者がレンズ５の下端と頬との間からの風の捲き込みを嫌う場合には、レンズ５の下端と頬との距離Ｄを狭めるために左耳ＥＬ用のテンプル２にはＢ型テンプルエンド３ｂが使用され、右耳用のテンプル２にはＡ型テンプルエンド３ａが使用される。レンズ５と頬との間への風の巻き込みを軽減することにより競技者の集中力がそがれることを防止することができる。
【００２９】
左耳ＥＬ用のテンプル２にＡ型テンプルエンド３ａが使用された場合と、左耳ＥＬ用のテンプル２にＢ型テンプルエンド３ｂが使用された場合とのテンプル２の傾斜角度の違いを、図６に角度αとして示す。
また、通常のサングラス１の使用時には左右のテンプル２，２からテンプルエンド３，３を取り外してテンプル本体４，４のみとし、レンズ５の下端と頬との間を狭めたい場合には、左耳ＥＬ用のテンプル本体４にＢ型テンプルエンド３ｂを取り付け、右耳用のテンプル本体４にＡ型テンプルエンド３ａを取り付けてサングラス１を使用することができる。
【００３０】
図７は左右で耳の高さが異なる者Ｍがサングラス１，７１を着用したときの正面図である。着用者Ｍは、右耳ＥＲの高さが左耳ＥＬの高さよりもＨ低い。着用者Ｍが従来のサングラス７１を着用した場合、サングラス７１は傾斜角度βで傾いた状態となり（図７（ａ）参照）、一方のレンズが瞳の中心から外れることにより目が疲れやすくなり、また見た目も好ましくない。
【００３１】
このような着用者Ｍには、左右のテンプル２，２にＡ型テンプルエンド３ａ，３ａを使用することにより、左右の耳ＥＲ，ＥＬの高さの差によるサングラス１の傾きが解消され、目の疲れが軽減され、外観上も好ましいものとなる。
右耳ＥＲの高さが左耳ＥＬの高さよりも高い着用者Ｍに対しては、左右のテンプル２，２にＢ型テンプルエンド３ｂ，３ｂを使用することにより、左右の耳ＥＲ，ＥＬの高さの差によるサングラス１の傾きが解消される。
【００３２】
なお、上方端部３２および下方端部３３のいずれの幅方向外方への張り出しも小さなテンプルエンドをＡ型テンプルエンド３ａまたはＢ型テンプルエンド３ｂと組み合わせることができる。例えば図７（ｂ）のおける左耳ＥＬ用のテンプル２にこのテンプルエンドを使用することにより、着用されたサングラス１の左右からの外観の差が減少する。
図８は厚さが大きな顔幅矯正用のテンプルエンド３Ｂが使用されたテンプル２Ｂの正面図、図９は図８におけるＥ−Ｅ矢視断面図、図１０は左右で厚さが異なるノーズパッド７，７Ｂが取り付けられたサングラス１の部分図、図１１は厚さが異なるテンプルエンド３，３Ｂが使用されたサングラス１を下方から見た図、図１２は左右で顔幅が異なる者Ｍがサングラス１を着用したときの正面図である。
【００３３】
なお、図９における（ａ）はテンプルエンド３Ｂを、（ｂ）は厚さが小さな標準のテンプルエンド３ｃを示す。
顔幅矯正用のテンプルエンド３Ｂは、標準のテンプルエンド３ｃに比べて底部３１Ｂの厚さが大きい。図８に示される顔幅矯正用のテンプルエンド３Ｂおよび標準のテンプルエ
ンド３ｃは、いずれも上方端部３２および下方端部３３の幅方向外方への張り出しの程度が等しい。顔幅矯正用のテンプルエンド３Ｂおよび標準のテンプルエンド３ｃは、これらの点を除き、他の部分の構成は既に説明したＡ型テンプルエンド３ａおよびＢ型テンプルエンド３ｂのものと略等しい。テンプルエンド３Ｂ，３ｃにおけるＡ型テンプルエンド３ａおよびＢ型テンプルエンド３ｂと同一の構成を有する部分については、図８においてこれらにおけると同じ符合を付しその説明を省略する。
【００３４】
また、テンプルエンド３Ｂ，３ｃのテンプル本体４への取り付けもＡ型テンプルエンド３ａおよびＢ型テンプルエンド３ｂと同様にして行われる。
図１０において符合７で示されるノーズパッドは標準の厚さを有し、符合７Ｂで示される矯正用のノーズパッドは、標準のノーズパッド７に比べて全体の厚みが小さく、着用者Ｍの鼻に当たる部分が標準のノーズパッド７に比べて薄い。そして、この薄いという形態は、矯正用のノーズパッド７Ｂの鼻に当たる面４８Ｂの位置が、標準のノーズパッド７における鼻に当たる面４８に比べてより外方となるように、つまり対となる他方のノーズパッド７における鼻に当たる面４８に対してより離れることを意図したものである。例えば図１０（ａ）においては、左右両側に標準のノーズパッド７を使用した場合に比べて、左側に矯正用のノーズパッド７Ｂが使用されるので、両ノーズパッド７，７Ｂにおける鼻に当たる面４８，４８Ｂの間隔が大きい。
【００３５】
図１０には、標準のノーズパッド７の取付面４６の幅Ｌ２に比べて取付面４６Ｂの幅Ｓ２が小さく、かつ標準のノーズパッド７の先端面の幅Ｌ１に比べて先端面の幅Ｓ１が小さい矯正用のノーズパッド７Ｂが示される。
なお、ノーズパッド７，７Ｂは、左用および右用で形状が異なる（例えば標準のノーズパッド７では左用と右用とが面対称の形状となる）が、説明および図における符合は左右で区別せずに使用するものとする。
【００３６】
顔幅矯正用のテンプルエンド３Ｂは、正面から見て鼻Ｎから左側のこめかみまでの距離ＤＬと鼻Ｎから右側のこめかみまでの距離ＤＲが異なる着用者Ｍが着用するサングラス１（１ａ，１ｂ）に使用される。
例えば、図１１（ａ）に示されるサングラス１（１ａ）は、図１２（ａ）に示されるように鼻Ｎから左側のこめかみまでの距離ＤＬが鼻Ｎから右側のこめかみまでの距離ＤＲよりも小さな着用者Ｍに適用される。このような着用者Ｍが着用するサングラス１ａには、右耳ＥＲ用のテンプル２に厚さの大きな底部３１Ｂを備えた顔幅矯正用のテンプルエンド３Ｂが使用される。顔幅矯正用のテンプルエンド３Ｂは、顔両側の鼻Ｎからこめかみまでの距離ＤＲ，ＤＬの差を縮め、着用者Ｍに良好なサングラス１ａの着用感を与える。
【００３７】
また、着用者Ｍによっては、顔幅矯正用のテンプルエンド３Ｂを使用することによりサングラス１ａが右耳ＥＲ側に偏り、左耳ＥＬ側のノーズパッドによって鼻Ｎに圧迫感が与えられる。このような場合には、左耳ＥＬ側のノーズパッドとして厚さの小さな矯正用のノーズパッド７Ｂを使用することにより両側のノーズパッド７，７Ｂ間の距離が拡がり、着用者Ｍは一層良好なサングラス１ａの着用感を得ることができる。
【００３８】
図１１（ｂ）に示されるサングラス１（１ｂ）は、図１２（ｂ）に示されるように鼻Ｎから左側のこめかみまでの距離ＤＬが鼻Ｎから右側のこめかみまでの距離ＤＲよりも大きな着用者Ｍに適用される。顔幅矯正用のテンプルエンド３Ｂおよび矯正用のノーズパッド７Ｂがサングラス１ｂの着用感の向上に寄与することは、図１１（ａ）に示されるサングラス１（１ａ）と同じである。
【００３９】
顔幅矯正用のテンプルエンド３Ｂの底部３１Ｂの厚さおよび矯正用のノーズパッド７Ｂの厚さが異なるそれぞれ複数の種類を用意すれば、着用者Ｍの顔の形態に最適なサングラス１を形成することができる。
また、顔幅矯正用のテンプルエンド３Ｂと標準のテンプルエンド３ｃとを使い分けることにより、全体として顔幅が広い人と全体として顔幅が狭い人とがサングラス１を共用することができる。
【００４０】
顔幅矯正用のテンプルエンド３Ｂを、前述したようなＡ型テンプルエンド３ａおよびＢ型テンプルエンド３ｂと同様に、上方端部３２および下方端部３３の一方を他方に比べて
より幅方向外方に張り出した形態とすることができる。このような顔幅矯正用のテンプルエンド３Ｂ単独でまたは矯正用のノーズパッド７Ｂと組み合わせることにより、使用状況によって着用者Ｍの顔面に対するレンズ５の傾斜角度を異ならせることができる。
【００４１】
上述の実施形態において、テンプルエンド３，３Ｂの上方端部３２および下方端部３３のそれぞれの側面３５，３６は凹状の湾曲面となっており、図４（ａ）および図９に示されるように端縁が鉤状に内方に曲げられている。そのためテンプルエンド３，３Ｂはテンプル本体４と一体化され易い。しかし、テンプルエンド３，３Ｂの上方端部３２および下方端部３３の端縁をこのように形成せず、テンプルエンド３，３Ｂのテンプル本体４への一体化を、テンプルエンド取付孔２１への突部３４の嵌め込みおよび袋状部４４への先端部分の挿入で実現してもよい。また、袋状部４４を有しないテンプルエンド３，３Ｂとすることができる。
【００４２】
また、テンプルエンド３，３Ｂのテンプル本体４への取り付けを、テンプルエンド取付孔２１への突部３４の嵌め込み以外の他の方法、例えばテンプルエンド３，３Ｂの一端における袋状部４４を他端まで拡張し、テンプル本体４の先端側から袋状部に挿入することでテンプルエンドのテンプル本体４への取り付けを行ってもよい。
テンプルエンド３，３Ｂは、左右両側のテンプル本体４，４に常に取り付けられるものではなく、着用者Ｍの顔に対するレンズ５，５の傾斜程度、左右の耳ＥＲ，ＥＬの高さの違いおよび着用者Ｍの左右の顔幅の違い等により、左右のいずれかのテンプル２からテンプルエンド３，３Ｂを取り外した状態でサングラス１が着用されてもよい。
【００４３】
上述したテンプル２は、スポーツ用サングラス以外の眼鏡、例えば視力矯正用眼鏡、粉塵、薬品等から目を保護する保護眼鏡等に適用することができる。
その他、テンプル２の各構成または全体の構造、形状、寸法、個数、材質などは、本発明の趣旨に沿って適宜変更することができる。
【産業上の利用可能性】
【００４４】
本発明は、本発明は、サングラス、粉塵、薬品等から目を保護する保護眼鏡、および視力矯正用眼鏡等の眼鏡に利用することができる。
【符号の説明】
【００４５】
１  スポーツ用サングラス（眼鏡）
２  テンプル
３，３Ｂ  テンプルエンド
３ａ  Ａ型テンプルエンド（テンプルエンド）
３ｂ  Ｂ型テンプルエンド（テンプルエンド）
３Ｂ  顔幅矯正用のテンプルエンド（テンプルエンド）
３ｃ  標準のテンプルエンド（テンプルエンド）
４  テンプル本体
５  レンズ
６  フレーム
７  （標準の）ノーズパッド
７Ｂ  （矯正用の）ノーズパッド
３７  （下方端部の）下方側面（下方端）
４８，４８Ｂ  （着用者の鼻に当たる）面
ＥＲ，ＥＬ  （着用者の）耳
Ｍ  着用者
Ｎ  （着用者の）鼻
【図２】
0005390350.tif 000002
【図３】
0005390350.tif 000003
【図４】
0005390350.tif 000004
【図８】
0005390350.tif 000005
【図９】
0005390350.tif 000006
【図１】
0005390350.tif 000007
【図５】
0005390350.tif 000008
【図６】
0005390350.tif 000009
【図７】
0005390350.tif 000010
【図１０】
0005390350.tif 000011
【図１１】
0005390350.tif 000012
【図１２】
0005390350.tif 000013